(57)【要約】      （修正有）【課題】表示パネルのコントラストと音声ガイド装置の音量とを１つの調整値入力手段によって調整できるようになる画像形成装置を提供する。【解決手段】単一の調整値入力手段によって入力された調整値を、表示パネルのコントラスト調整値として表示パネルのコントラスト調整手段に与えるか、音声ガイド装置の音量調整値として音声ガイド装置に与えるかを制御する制御手段を備えており、制御手段は、操作案内モードとして通常モードが設定されている場合には、調整値入力手段によって入力された調整値を表示パネルのコントラスト調整値として表示パネルのコントラスト調整手段に与え、操作案内モードとして音声ガイドモードが設定されている場合には、調整値入力手段によって入力された調整値を音声ガイド装置の音量調整値として音声ガイド装置に与える。【選択図】図１
2006184696.tif 000002
【特許請求の範囲】
【請求項１】
表示パネルと音声ガイド装置を備えており、操作案内モードとして音声ガイドを出力させない通常モードと、音声ガイドを出力させる音声ガイドモードとが設定可能な画像形成装置において、
表示パネルのコントラスト調整値または音声ガイド装置の音量調整値を設定するための単一の調整値入力手段、ならびに
調整値入力手段によって入力された調整値を、表示パネルのコントラスト調整値として表示パネルのコントラスト調整手段に与えるか、音声ガイド装置の音量調整値として音声ガイド装置に与えるかを制御する制御手段を備えており、
制御手段は、操作案内モードとして通常モードが設定されている場合には、調整値入力手段によって入力された調整値を、表示パネルのコントラスト調整値として表示パネルのコントラスト調整手段に与え、操作案内モードとして音声ガイドモードが設定されている場合には、調整値入力手段によって入力された調整値を、音声ガイド装置の音量調整値として音声ガイド装置に与えるものであることを特徴とする画像形成装置。
【発明の詳細な説明】
【技術分野】
【０００１】
この発明は、表示パネルと音声ガイド機能とを備えた複写機、デジタル複合機等の画像形成装置に関する。
【背景技術】
【０００２】
近年、ユニバーサルデザインのような障害者を意識したシステム設計や、健常者に対しても、より使いやすいシステムの設計が求められている。複写機、デジタル複合機等の画像形成装置においても同様な要求があり、対応して行く必要が出てきた。
【０００３】
そこで、画像形成装置として、視力が弱いユーザに対して、所定のモード（音声ガイドモード）を設定すると、音声による操作案内を行う音声ガイド装置を備えたものが開発されている（特開２００３−２９８９０号公報参照）。
【０００４】
ところで、表示パネルと音声ガイド機能とを備えた画像形成装置においては、表示パネルのコントラストを調整するためのコントラスト調整用ボリュームと、音声ガイド装置の音量を調整するための音量調整用ボリュームとが設けられている。
【０００５】
しかしながら、視力が弱いユーザが操作する場合に設定される音声ガイドモード時には、音声ガイド装置の音量を調整することは重要であるが、表示パネルのコントラストを調整することはさほど重要ではない。また、音声ガイドモードが設定されていない場合には、表示パネルのコントラストを調整することは重要であるが、音声ガイド装置の音量を調整することは無意味である。
【特許文献１】特開２００３−２９８９０号公報
【発明の開示】
【発明が解決しようとする課題】
【０００６】
この発明は、表示パネルのコントラストと音声ガイド装置の音量とを１つの調整値入力手段によって調整できるようになる画像形成装置を提供することを目的とする。
【課題を解決するための手段】
【０００７】
請求項１に記載の発明は、表示パネルと音声ガイド装置を備えており、操作案内モードとして音声ガイドを出力させない通常モードと、音声ガイドを出力させる音声ガイドモードとが設定可能な画像形成装置において、表示パネルのコントラスト調整値または音声ガイド装置の音量調整値を設定するための単一の調整値入力手段、ならびに調整値入力手段によって入力された調整値を、表示パネルのコントラスト調整値として表示パネルのコントラスト調整手段に与えるか、音声ガイド装置の音量調整値として音声ガイド装置に与えるかを制御する制御手段を備えており、制御手段は、操作案内モードとして通常モードが設定されている場合には、調整値入力手段によって入力された調整値を、表示パネルのコントラスト調整値として表示パネルのコントラスト調整手段に与え、操作案内モードとして音声ガイドモードが設定されている場合には、調整値入力手段によって入力された調整値を、音声ガイド装置の音量調整値として音声ガイド装置に与えるものであることを特徴とする。
【発明の効果】
【０００８】
この発明によれば、表示パネルのコントラストと音声ガイド装置の音量とを１つの調整値入力手段によって調整できるようになる。
【発明を実施するための最良の形態】
【０００９】
以下、図面を参照して、この発明を複写機に適用した場合の実施例について説明する。
【実施例１】
【００１０】
図１は、複写機における表示パネルのコントラストおよび音声ガイド装置の音量を調整するための回路の構成を示している。
【００１１】
１０は、複写機全体を制御するための制御部である。１は、制御部１０から送られてくる表示信号に基づいて液晶表示器（表示パネル）２に操作案内画面等を表示するＬＣＤドライバである。ＬＣＤドライバ１は、液晶表示器２のコントラストを調整するためのコントラスト調整手段を含んでいる。なお、図示しないが液晶表示器２にはタッチパネルが設けられている。
【００１２】
３は、制御部１０からの指示に基づいて、音声ガイドのための音声信号を発生する音声ガイド装置である。音声ガイドには、操作方法を示す音声の他、キーが操作されたことを示すキー音も含まれる。音声ガイド装置３によって生成された音声信号はスピーカ４に送られる。なお、音声ガイド装置３内には、音量を調整するためのアンプが含まれている。      
【００１３】
２１は、液晶表示器２のコントラストと、音声ガイド装置３の音量を調整するためのボリューム（調整値入力手段）である。２２は、ボリューム２１によって設定された調整値を、液晶表示器２のコントラストを調整するための調整値としてＬＣＤドライバ１に与えるか、音声ガイド装置３の音量を調整するための調整値として音声ガイド装置３に与えるかを選択するためのセレクタである。セレクタ２２は、制御部１０によって制御される。      
【００１４】
この複写機では、操作案内モードとして、音声ガイドを出力させない通常モードと、音声ガイドを出力させる音声ガイドモードとをユーザが初期設定において設定できるようになっている。制御部１０は、現在設定されている操作案内モード（通常モードまたは音声ガイドモード）に基づいて、セレクタ２２を制御する。
【００１５】
つまり、操作案内モードとして通常モードが設定されている場合には、ボリューム２１によって設定された調整値が、液晶表示器２のコントラストを調整するための調整値としてＬＣＤドライバ１に与えられるように、制御部１０はセレクタ２２を制御する。操作案内モードとして音声ガイドモードが設定されている場合には、ボリューム２１によって設定された調整値が、音声ガイド装置３の音量を調整するための調整値として音声ガイド装置３に与えられるように、制御部１０はセレクタ２２を制御する。
【００１６】
したがって、操作案内モードとして通常モードが設定されている場合には、音声ガイド装置の音量を調整することは無意味であるので、ボリューム２１は、液晶表示器２のコントラストを調整するために用いられる。操作案内モードとして音声ガイドモードが設定されている場合には、液晶表示器２のコントラストを調整することはさほど重要ではないので、ボリューム２１は音声ガイド装置３の音量を調整するために用いられる。
【図面の簡単な説明】
【００１７】
【図１】複写機における表示パネルのコントラストおよび音声ガイド装置の音量を調整するための回路の構成を示すブロック図である。
【符号の説明】
【００１８】
１  ＬＣＤドライバ
２  液晶表示器
３  音声ガイド装置
４  スピーカ
１０  制御部
２１  ボリューム
２２  セレクタ
【図１】
2006184696.tif 000003